(57)【要約】【課題】簡単な構成により、質や見栄え良く機種交換できるようにする。【解決手段】前扉５を、筐体に対して分離可能に取り付けると共に、操作板１７と下パネル１５との間で蝶番により上半部と下半部を連結してほぼ中央部で折曲可能に形成し、筐体と前扉５との間には、リール装置４１と、メダル排出装置と、主基板４５と、補助基板４７と、電源装置と、集中端子板５１とを配設し、リール装置４１のリールスタンド５３の上面に主基板４５を取り付けると共に、前扉５の上パネル７の背面に補助基板４７を取り付け、前扉５にリール装置４１、主基板４５及び補助基板４７を配設する。【選択図】        図４
2004305433.tif 000002
【特許請求の範囲】
【請求項１】
前面が開口した筐体と、表示窓が形成されると共にゲーム進行状況に応じた演出を行う演出手段及び各種操作スイッチ類が装備され前記筐体の一側に開閉自在に取り付けられた前扉とを備え、
前記筐体と前記前扉との間に、
複数個のリール及びこれらのリールの駆動用モータを有し前記表示窓に臨むリール装置と、
前記リール装置のゲーム結果に基づいて遊技者にメダルを排出するメダル排出装置と、
前記リール装置及び前記メダル排出装置を制御する主制御装置と、
前記主制御装置からの信号を受けて前記演出手段を制御する補助制御装置と、
前記リール装置、前記メダル排出装置、前記主制御装置及び前記補助制御装置に電源供給する電源装置と、
外部出力端子を有する集中端子板と
が配設されて成るスロットマシンにおいて、
前記前扉が前記筐体に対して分離可能に取り付けられ、
前記前扉に、前記リール装置、前記主制御装置及び前記補助制御装置が取り付けられ、
前記筐体内に、前記メダル排出装置、前記電源装置及び前記集中端子板が配設されている
ことを特徴とするスロットマシン。
【請求項２】
前記リール装置が、前記前扉に対して着脱自在に取り付けられ、前記主制御装置が、前記リール装置に取り付けられていることを特徴とする請求項１に記載のスロットマシン。
【請求項３】
前記前扉が、ほぼ中央部で折曲可能に形成されていることを特徴とする請求項１または２に記載のスロットマシン。
【請求項４】
前記前扉が、複数箇所で折曲可能に形成されていることを特徴とする請求項１または２に記載のスロットマシン。
【請求項５】
前面が開口した筐体と、表示窓が形成されると共にゲーム進行状況に応じた演出を行う演出手段及び各種操作スイッチ類が装備され前記筐体の一側に開閉自在に取り付けられた前扉とを備え、
前記筐体と前記前扉との間に、
複数個のリール及びこれらのリールの駆動用モータを有し前記表示窓に臨むリール装置と、
前記リール装置のゲーム結果に基づいて遊技者にメダルを排出するメダル排出装置と、
前記リール装置及び前記メダル排出装置を制御する主制御装置と、
前記主制御装置からの信号を受けて前記演出手段を制御する補助制御装置と、
前記リール装置、前記メダル排出装置、前記主制御装置及び前記補助制御装置に電源供給する電源装置と、
外部出力端子を有する集中端子板と
が配設されて成るスロットマシンにおいて、
前記前扉が、扉枠体と、この扉枠体に着脱自在に装着された複数のパネル枠体と、前記各パネル枠体それぞれに着脱自在に取り付けられた複数のパネルとを備えていることを特徴とするスロットマシン。
【請求項６】
前記パネル枠体が、上、中、下に分離可能であり、これら上、中、下の各パネル枠体それぞれに前記パネルが着脱自在に取り付けられていることを特徴とする請求項５に記載のスロットマシン。
【請求項７】
前記主制御装置及び補助制御装置が、前記リール装置に取り付けられていることを特徴とする請求項５または６に記載のスロットマシン。
【請求項８】
前記リール装置の前記駆動用モータと前記電源装置とを電気的に接続するためのコネクタを備え、
前記コネクタが、
前記筐体に固定して設けられた筐体側コネクタ部と、前記リール装置に固定して設けられ前記筐体側コネクタ部に抜き差し自在に挿入されるリール側コネクタ部とから成ることを特徴とする請求項７に記載のスロットマシン。
【請求項９】
前記筐体内に設けられ前記リール装置が載置される棚を備えていることを特徴とする請求項７または８に記載のスロットマシン。
【請求項１０】
前記棚に形成され前記リール装置の着脱時のガイドとなるガイド手段を備えていることを特徴とする請求項９に記載のスロットマシン。
【請求項１１】
前記筐体の内側に、前記リール装置の着脱時のガイドとなるガイド手段が形成されていることを特徴とする請求項７または８に記載のスロットマシン。
【発明の詳細な説明】
【０００１】
【発明の属する技術分野】
この発明は、筐体及びその前面開口を開閉自在に閉塞する前扉とを備えたスロットマシンに関し、特に新旧の機種交換の容易化を図る技術に関する。
【０００２】
【従来の技術】
従来、新旧の機種交換の容易化を図ったスロットマシンとしては、前扉にリール装置を着脱自在に取り付けたものや、筐体と前扉との間に、中枠を開閉自在に取り付け、この中枠にリール装置を取り付けたものがある。更に、前扉の下側に、受皿を着脱自在に取り付けたものも提案されている。
【０００３】
ところが、このような従来のスロットマシンでは、新旧の機種交換が面倒であるという共通の問題点があった。即ち、スロットマシンは、一定期間経過すると、新機種に入れ替えられるが、このとき旧機種を取り外し、取り外したスペースに新機種を取り付けるという手法が一般的であった。
【０００４】
そのため、新旧の機種の交換に時間が掛かり、機種交換のために、パチンコホールの営業時間を短縮したり、夜間の作業を強いることも多く、多大な労力と費用を要するという問題点があった。また、新機種、旧機種を丸ごと交換することから、それらの搬送や保管のための費用も多く掛かり、しかも旧機種を廃棄し、新機種を新たに製造するので、資源の無駄も多いという問題点もあった。
【０００５】
そこで、このように新機種、旧機種を丸ごと交換するのではなく、スロットマシンの本体箱の前面開口を開閉自在に閉塞する前扉の上半部に、リール装置及び主基板を取り付け、ヒンジ装置によりこの前扉の上半部のみを筐体から分離可能に取り付けて前扉だけを交換できるようにすることが考えられている（例えば、特許文献１参照）。
【０００６】
【特許文献１】
特開平１３−９５９７３号公報（段落［００４９］及び図１）
【０００７】
【発明が解決しようとする課題】
しかしながら、上記の手法では、例えば前扉の下半部側に各種のスイッチ類が残る構成の場合、これらスイッチ類は頻繁に操作されるものであり、耐久性の点から古いものを使い続けると性能が劣化するため、操作における信頼性や品質の低下を招くおそれがある。
【０００８】
また、前扉のフレーム部分は、見た目にも傷がつきやすく、新機種のわりに前扉のフレームだけが傷を有することになり、見栄えという面で遊技者に対してあまり良くない印象を与える結果となる。
【０００９】
そこで、本発明は、簡単な構成により、質や見栄え良く機種交換できるようにすることを目的とする。
【００１０】
【課題を解決するための手段】
上記した目的を達成するために、本発明は、前面が開口した筐体と、表示窓が形成されると共にゲーム進行状況に応じた演出を行う演出手段及び各種操作スイッチ類が装備され前記筐体の一側に開閉自在に取り付けられた前扉とを備え、前記筐体と前記前扉との間に、複数個のリール及びこれらのリールの駆動用モータを有し前記表示窓に臨むリール装置と、前記リール装置のゲーム結果に基づいて遊技者にメダルを排出するメダル排出装置と、前記リール装置及び前記メダル排出装置を制御する主制御装置と、前記主制御装置からの信号を受けて前記演出手段を制御する補助制御装置と、前記リール装置、前記メダル排出装置、前記主制御装置及び前記補助制御装置に電源供給する電源装置と、外部出力端子を有する集中端子板とが配設されて成るスロットマシンにおいて、前記前扉が前記筐体に対して分離可能に取り付けられ、前記前扉に、前記リール装置、前記主制御装置及び前記補助制御装置が取り付けられ、前記筐体内に、前記メダル排出装置、前記電源装置及び前記集中端子板が配設されていることを特徴としている（請求項１）。
【００１１】
このような構成によれば、前扉を筐体から分離することで、前扉及びこれに取り付けられているリール装置、主制御装置、補助制御装置を新しい機種用に簡単に交換することができる。このとき、通常前扉に装備されている操作スイッチ類も一緒に交換されるため、質や見栄え良く機種交換することができる。
【００１２】
また、本発明は、前記リール装置が、前記前扉に対して着脱自在に取り付けられ、前記主制御装置が、前記リール装置に取り付けられていることを特徴としている（請求項２）。このような構成によれば、リール装置及び主制御装置を前扉から分離できるため、リール装置及び主制御装置を前扉から分離しない場合に比べて、交換時における梱包用箱の容積を小さくすることができて有利である。
【００１３】
また、本発明は、前記前扉が、ほぼ中央部で折曲可能に形成されていることを特徴としている（請求項３）。このとき、請求項４に記載のように、前記前扉が、複数箇所で折曲可能に形成されていてもよい。
【００１４】
このような構成によれば、前扉を折曲することで、梱包用箱を小さくすることができて梱包効率を改善することができる。
【００１５】
また、本発明は、前面が開口した筐体と、表示窓が形成されると共にゲーム進行状況に応じた演出を行う演出手段及び各種操作スイッチ類が装備され前記筐体の一側に開閉自在に取り付けられた前扉とを備え、前記筐体と前記前扉との間に、複数個のリール及びこれらのリールの駆動用モータを有し前記表示窓に臨むリール装置と、前記リール装置のゲーム結果に基づいて遊技者にメダルを排出するメダル排出装置と、前記リール装置及び前記メダル排出装置を制御する主制御装置と、前記主制御装置からの信号を受けて前記演出手段を制御する補助制御装置と、前記リール装置、前記メダル排出装置、前記主制御装置及び前記補助制御装置に電源供給する電源装置と、外部出力端子を有する集中端子板とが配設されて成るスロットマシンにおいて、前記前扉が、扉枠体と、この扉枠体に着脱自在に装着された複数のパネル枠体と、前記各パネル枠体それぞれに着脱自在に取り付けられた複数のパネルとを備えていることを特徴としている（請求項５）。
【００１６】
このような構成によれば、機種交換を行う際、複数のパネルを各パネル枠体それぞれから取り外すことで、各パネルのみを交換すればよく、新機種に要する部品コストを大幅に低減することができ、新機種に要する部品重量も軽減できて運搬が非常に容易になる。そして、これらパネルはホールにおいても容易に交換できるため、交換作業を非常に手軽に行うことができる。
【００１７】
このとき、請求項６に記載のように、前記パネル枠体が、上、中、下に分離可能であり、これら上、中、下の各パネル枠体それぞれに前記パネルが着脱自在に取り付けられているのが望ましい。こうすると、スロットマシンの場合、前面の装飾デザインの観点からいえば、ほぼ上、中、下に分けることができるため、上、中、下の３つのパネルを分離可能にしておけば、前扉を新しいデザイン交換する手間が非常に簡素化することができる。
【００１８】
また、本発明は、前記主制御装置及び補助制御装置が、前記リール装置に取り付けられていることを特徴としている（請求項７）。このような構成によれば、リール装置と共に主制御装置及び補助制御装置を一緒に交換することができ、主制御装置及び補助制御装置付きのリール装置をホールにおいて交換できるため、交換効率を大幅に改善することができる。
【００１９】
また、本発明は、前記リール装置の前記駆動用モータと前記電源装置とを電気的に接続するためのコネクタを備え、前記コネクタが、前記筐体に固定して設けられた筐体側コネクタ部と、前記リール装置に固定して設けられ前記筐体側コネクタ部に抜き差し自在に挿入されるリール側コネクタ部とから成ることを特徴としている（請求項８）。
【００２０】
このような構成によれば、リール装置の交換の際に、筐体側コネクタ部とリール側コネクタ部とを抜き差しすればよいため、リール装置の電気的接続部分の切離を非常に容易に行うことができる。
【００２１】
また、本発明は、前記筐体内に設けられ前記リール装置が載置される棚を備えていることを特徴としている（請求項９）。このような構成によれば、リール装置を筐体側の棚上に載置すればよいため、リール装置の交換が極めて容易になる。
【００２２】
また、本発明は、前記棚の上面に形成され前記リール装置の着脱時のガイドとなるガイド手段を備えていることを特徴としている（請求項１０）。このような構成によれば、ガイド手段を使ってリール装置を移動させればよいため、リール装置の交換がよりいっそう容易になる。
【００２３】
このとき、請求項１１に記載のように、前記筐体の内側に、前記リール装置の着脱時のガイドとなるガイド手段が形成されていてもよい。このようにすれば、筐体に棚を設けるスペースがない場合において有利であり、ガイド手段を使ってリール装置を移動させればよいため、リール装置の交換がよりいっそう容易になる。
【００２４】
【発明の実施の形態】
（第１実施形態）
この発明の第１実施形態について図１ないし図７を参照して説明する。但し、図１はスロットマシンの正面図、図２は分離状態における前扉の平面図、図３及び図４は分離状態の前扉を折曲した状態における正面図及び右側面図、図５ないし図７はそれぞれ分離状態における筐体の正面図、右側面図及び平面図である。
【００２５】
本実施形態におけるスロットマシンは、例えば図１に示すように構成されている。即ち、図１に示すように、スロットマシン１では、筐体３の前面開口が前扉５により開閉自在に閉塞され、この前扉５の左端部がヒンジ装置により筐体３に回転自在に支持され、筐体３の前面全体が前扉５により覆われて閉塞される。また、ヒンジ装置には、周知のワンタッチ式スライド蝶番や、抜き差し蝶番が使用され、前扉５が筐体３に対して分離可能に取り付けられている。
【００２６】
ところで、前扉５の上部には所定の装飾が施された上パネル７が装着され、この上パネル７の内側には演出手段としてのランプが配設され、ゲームの状況に応じ、このランプが点滅されて所定の演出を行うようになっている。
【００２７】
また、前扉５の中央部には中パネル９が装着され、この中パネル９には、装飾によって３個の矩形の透明なリール表示窓１１が並設され、各リール表示窓１１の内側には後で詳述するリール装置の左、中、右の各リール１３Ｌ，１３Ｍ，１３Ｒが各リール表示窓１１に臨むように配設されている。更に、前扉５の下部にはマシン名などの装飾が施された下パネル１５が装着されている。
【００２８】
尚、中パネル９には上下に平行な３本及び斜めに２本の入賞ラインが描かれると共に、入賞ライン中の有効ラインを表示する有効表示ランプや、ボーナスゲームの状態などを表示する演出手段としての種々の演出表示ランプ、クレジットメダルの枚数を表示するメダル枚数表示器が中パネル９に配設されている。
【００２９】
そして、前扉５の中パネル９と下パネル１５との間には操作板１７が配設され、この操作板１７には、クレジットされているメダル枚数から１回押す毎に１枚、２枚、３枚を順次減じてメダル投入に代えるためのベットスイッチ２１のほか、１回押すだけでクレジットされているメダル枚数から最大掛け枚数である３枚を減じてメダル投入に代えるためのマックスベットスイッチ２３、各リールの回転を開始させるためのスタートレバー２５、左、中、右の各リール１３Ｌ，１３Ｍ，１３Ｒの回転を停止操作するための第１ないし第３ストップスイッチ２７，２９，３１、及び、メダル投入口３３や貯留メダルを払い出すための精算スイッチ３５が設けられている。更に、下パネル１５の下方にはメダル払出口やメダル受け３７が設けられている。
【００３０】
ところで、前扉５は、上記したように筐体３に対して分離可能に取り付けられ、しかも図２〜４に示すように、この前扉５は、操作板１７と下パネル１５との間で蝶番により上半部と下半部が連結されてほぼ中央部で折曲可能に形成されている。
【００３１】
更に、図２〜７に示すように、筐体３と前扉５との間には、各リール１３Ｌ，１３Ｍ，１３Ｒ及びこれらの駆動用モータ（図示せず）を有しリール表示窓１１に臨むリール装置４１と、このリール装置４１のゲーム結果に基づいて遊技者にメダルを排出するメダル排出装置４３と、リール装置４１及びメダル排出装置４３を制御する主制御装置を備えた主基板４５と、主基板４５の主制御装置からの信号を受けて演出手段であるランプ等を制御する補助制御装置を備えた補助基板４７と、リール装置４１、メダル排出装置４３、主基板４５及び補助基板４７に電源供給する電源装置４９と、外部出力端子を有する集中端子板５１とが配設されている。
【００３２】
ここで、リール装置４１は、複数の保持部材を枠体状に組み合わせてなるリールスタンド５３に、各リール１３Ｌ，１３Ｍ，１３Ｒの駆動用モータを取り付け、これらモータの回転軸それぞれに各リール１３Ｌ，１３Ｍ，１３Ｒの中心を軸着して形成されている。
【００３３】
そして、図４に示すように、このようなリール装置４１のリールスタンド５３の上面に主基板４５が取り付けられると共に、前扉５の上パネル７の背面に補助基板４７が取り付けられ、前扉５にリール装置４１、主基板４５及び補助基板４７が配設されている。
【００３４】
また、図５〜７に示すように、筐体３内の底部ほぼ中央にメダル排出装置４３が配設されると共に、筐体３内の底部左側に電源装置４９が配設され、筐体３内右側上部に集中端子板５１が配設されている。
【００３５】
従って、第１実施形態によれば、前扉５を筐体３から分離することで、前扉５及びこれに取り付けられているリール装置４１、主基板４５、補助基板４７を新しい機種用に簡単に交換することができる。
【００３６】
更に、前扉５に装備されている操作スイッチ類２１，２３，２５，２７，２９，３１，３５も前扉５と一緒に新しいものに交換されるため、従来のように、操作スイッチ類に傷等がついたままになることもなく、質や見栄え良く機種交換することができる。
【００３７】
また、前扉５が、ほぼ中央部で折曲可能に形成されているため、前扉５を折曲することで、梱包用箱を小さくすることができて梱包効率を改善することができる。尚、前扉５は、３箇所以上で折曲可能な構造であっても構わない。
【００３８】
このとき、第１実施形態では、前扉５はその中央部で折曲可能に形成している例を示したが、変形例として、図８に示すように、前扉５は折曲できない構造であってもよい。
【００３９】
（第２実施形態）
次に、この発明の第２実施形態について図９及び図１０を参照して説明する。但し、スロットマシンの基本的な構成は上記した第１実施形態と同じであり、重複を避けるために、以下では第１実施形態と相違する点について説明する。そのとき、図１ないし図７と同一符号は同一もしくは相当するものを示すものとする。
【００４０】
本実施形態では、前扉５に対してリール装置４１を着脱自在に取り付けた点が、上記した第１実施形態と相違しており、リール装置４１には主基板４５が取り付けられているため、リール装置４１及び主基板４５が一体的に新機種のものに交換される。尚、リール装置４１はリールスタンド５３の前側に、例えばフック体を設け、このフック体を前扉５の背面側の係合部に係合することでリール装置４１を前扉５に着脱自在に取り付けるようにすればよい。
【００４１】
従って、第２実施形態によれば、上記した第１実施形態と同等の効果を得ることができるのは勿論のこと、リール装置４１及び主基板４５を前扉５から分離できるため、梱包用箱を小さくすることができて梱包効率をいっそう改善することができる。
【００４２】
このとき、前扉５を少なくとも１箇所で折曲可能に構成すれば、更に梱包用箱を小さくすることができ、梱包効率を大幅に改善することができる。
【００４３】
（第３実施形態）
続いて、この発明の第３実施形態について図１１ないし図１３を参照して説明する。但し、スロットマシンの基本的な構成は上記した第１実施形態と同じであり、重複を避けるために、以下では第１実施形態と相違する点について説明する。そのとき、図１ないし図７と同一符号は同一もしくは相当するものを示すものとする。
【００４４】
本実施形態では、前扉５が、扉枠体５５と、この扉枠体５５に着脱自在に装着された上、中、下のパネル枠体５７，５９，６１とを備え、これら各パネル枠体５７，５９，６１に着脱自在に上、中、下パネル７，９，１５がそれぞれ取り付けられるようになっている。ここで、各パネル枠体５７，５９，６１は、フックにより扉枠体５５の所定位置にそれぞれ着脱自在に取り付けられるようにするのが望ましい。
【００４５】
ところで、図１１に示すように、リール装置４１が第２実施形態と同様、前扉５に対して着脱自在に取り付けられており、主基板４５及び補助基板４７はリール装置４１のリールスタンド５３に取り付けられ、リール装置４１と共に前扉５に着脱自在に取り外し可能になっている。
【００４６】
そして、リール装置４１の各駆動用モータと電源装置４９とを電気的に接続するためのコネクタ６３が設けられ、このコネクタ６３は、筐体３内側の中央やや下寄りの位置に設けられた棚６５の中央奥部に固定して設けられた一対の筐体側コネクタ部６３Ｋと、リール装置４１のリールスタンド５３の下奥部に固定して設けられ一対の筐体側コネクタ部６３Ｋに抜き差し自在に挿入されるリール側コネクタ部６３Ｒとにより構成されている。尚、棚６５の両筐体側コネクタ部６３Ｋの間には前方に突出した位置決めピン６７が設けられており、この位置決めピン６７がリール装置４１側に設けられた位置決め孔に嵌挿して、特にコネクタ６３の接続時の位置決めが行われる。
【００４７】
また、筐体３内に設けられた棚６５上にリール装置４１が載置されるが、この棚６５の上面左右端部にはガイド体６９が形成されており、リール装置４１のリールスタンド５３の左、右下端部がリール装置４１の着脱時に両ガイド体６９それぞれによりガイドされるようになっている。ここで、このガイド体６９は、例えば断面Ｌ字状のレール状部材でよく、これらガイド体６９と位置決めピン６７により本発明におけるガイド手段が構成されている。ここで、ガイド体６９によりリール装置４１の大まかな位置決めをおこなうことができ、ピン６７によりコネクタ６３の接続時の位置決めを確実に行うことができる。尚、位置決めピン６７は必ずしも設ける必要はない。
【００４８】
従って、第３実施形態によれば、上記した第１実施形態と同等の効果を得ることができるのは勿論のこと、機種交換を行う際、各パネル７，９，１５を各パネル枠体５７，５９，６１それぞれから取り外し、リール装置４１を前扉５から取り外すことで、各パネル７，９，１５、リール装置４１及び主、補助基板４５，４７のみを交換すればよく、新機種に要する部品コストを大幅に低減することができ、しかも新機種に要する部品重量も軽減できて運搬が非常に容易になる。
【００４９】
このとき、スロットマシン１の前面はデザイン的にほぼ上、中、下に分けることができるため、上、中、下の３つのパネル７，９，１５を分離可能にしておけば、前扉５を新しいデザイン交換する手間が非常に簡素化することができる。そして、パネル７，９，１５をホールで交換できるため、交換作業を非常に手軽に行うことができる。
【００５０】
また、リール装置４１と共に主基板４５及び補助基板４７を一緒に交換することができ、主基板４５及び補助基板４７付きのリール装置４１をホールにおいて交換でき、上記したようなパネル７，９，１５含めて、最小限の交換で機種交換をホールで行えることになり、交換効率を大幅に改善することができる。
【００５１】
更に、リール装置４１の交換の際に、コネクタ６３を構成する筐体側コネクタ部６３Ｋとリール側コネクタ部６３Ｒとを抜き差しすればよいため、リール装置４１の電気的接続部分の切離を非常に容易に行うことができる。
【００５２】
また、ガイド体６９を棚の上面に設けているため、ガイド体６９に沿ってリール装置４１を移動させればよいため、リール装置４１の交換をよりいっそう容易に行うことができる。
【００５３】
なお、本発明は上記した実施形態に限定されるものではなく、その趣旨を逸脱しない限りにおいて上述したもの以外に種々の変更を行うことが可能である。
【００５４】
例えば、上記した第３実施形態における棚６５をなくし、筐体３左右の両内側面にガイド体６９と同様の機能を有するガイド手段を直接形成し、リール装置４１の着脱時のガイドとしてもよい。
【００５５】
また、ガイド手段は、上記した構成に限定されるものでないのは勿論である。
【００５６】
【発明の効果】
以上のように、請求項１に記載の発明によれば、前扉を筐体から分離することで、前扉及びこれに取り付けられているリール装置、主制御装置、補助制御装置を新しい機種用に簡単に交換することが可能になる。そして、通常前扉に装備されている操作スイッチ類も一緒に交換されるため、質や見栄え良く機種交換することが可能になる。
【００５７】
また、請求項２に記載の発明によれば、リール装置及び主制御装置を前扉から分離できるため、リール装置及び主制御装置を前扉から分離しない場合に比べて、交換時における梱包用箱の容積を小さくすることができて非常に有利である。
【００５８】
また、請求項３，４に記載の発明によれば、前扉を折曲することで、梱包用箱を小さくすることができて梱包効率を大幅に改善することが可能になる。
【００５９】
また、請求項５に記載の発明によれば、機種交換を行う際、複数のパネルを各パネル枠体それぞれから取り外すことで、各パネルのみを交換すればよく、新機種に要する部品コストを大幅に低減することが可能になり、新機種に要する部品重量も軽減できて運搬が非常に容易になる。
【００６０】
また、請求項６に記載の発明によれば、スロットマシンの場合、装飾デザインの観点からいえば、ほぼ上、中、下に分けることができるため、上、中、下の３つのパネルを分離可能にしておけば、前扉を新しいデザイン交換する手間が非常に簡素化することが可能になる。
【００６１】
また、請求項７に記載の発明によれば、リール装置と共に主制御装置及び補助制御装置を一緒に交換することができ、主制御装置及び補助制御装置付きのリール装置をホールにおいて交換できるため、交換効率を大幅に改善することが可能になる。
【００６２】
また、請求項８に記載の発明によれば、リール装置の交換の際に、筐体側コネクタ部とリール側コネクタ部とを抜き差しすればよいため、リール装置の電気的接続部分の切離を非常に容易に行うことが可能になる。
【００６３】
また、請求項９に記載の発明によれば、リール装置を筐体側の棚上に載置すればよいため、リール装置の交換が極めて容易になる。
【００６４】
また、請求項１０に記載の発明によれば、ガイド手段を使ってリール装置を移動させればよいため、リール装置の交換をよりいっそう容易に行うことが可能になる。
【００６５】
また、請求項１１に記載の発明によれば、筐体に棚を設けるスペースがない場合において有利であり、ガイド手段を使ってリール装置を移動させればよいため、リール装置の交換をよりいっそう容易に行うことが可能になる。
【図面の簡単な説明】
【図１】この発明の第１実施形態におけるスロットマシンの正面図である。
【図２】この発明の第１実施形態におけるスロットマシンの分離状態における前扉の平面図である。
【図３】この発明の第１実施形態におけるスロットマシンの分離状態の前扉を折曲した状態における正面図である。
【図４】この発明の第１実施形態におけるスロットマシンの分離状態の前扉を折曲した状態における右側面図である。
【図５】この発明の第１実施形態におけるスロットマシンの分離状態における筐体の正面図である。
【図６】この発明の第１実施形態におけるスロットマシンの分離状態における筐体の右側面図である。
【図７】この発明の第１実施形態におけるスロットマシンの分離状態における筐体の平面図である。
【図８】第１実施形態の変形例における分離状態の前扉の右側面図である。
【図９】この発明の第２実施形態におけるスロットマシンの分離状態の前扉の右側面図である。
【図１０】この発明の第２実施形態におけるスロットマシンの分離状態の前扉の平面図である。
【図１１】この発明の第３実施形態におけるスロットマシンの分離状態の右側面図である。
【図１２】この発明の第３実施形態におけるスロットマシンの分離状態の平面図である。
【図１３】（ａ）〜（ｃ）は第３実施形態におけるスロットマシンの各パネルの正面図である。
【符号の説明】
１    スロットマシン
３    筐体
５    前扉
７    上パネル
９    中パネル
１１  リール表示窓
１３Ｌ，１３Ｍ，１３Ｒ  左、中、右リール
１５  下パネル
４１  リール装置
４３  メダル排出装置
４５  主基板
４７  補助基板
４９  電源装置
５１  集中端子板
５５  扉枠体
５７，５９，６１  パネル枠体
６３  コネクタ
６３Ｋ  筐体側コネクタ部
６３Ｒ  リール側コネクタ部
６５  棚
６７  位置決めピン（ガイド手段）
６９  ガイド体（ガイド手段）
【図１】
2004305433.tif 000003
【図２】
2004305433.tif 000004
【図３】
2004305433.tif 000005
【図４】
2004305433.tif 000006
【図５】
2004305433.tif 000007
【図６】
2004305433.tif 000008
【図７】
2004305433.tif 000009
【図８】
2004305433.tif 000010
【図９】
2004305433.tif 000011
【図１０】
2004305433.tif 000012
【図１１】
2004305433.tif 000013
【図１２】
2004305433.tif 000014
【図１３】
2004305433.tif 000015